(57)【要約】【課題】    掃除時間に応じて集塵フィルタの適切な除塵を行なうことができる電気掃除機を提供すること。【解決手段】掃除機本体２内に配設された電動送風機７と、この電動送風機７による吸込負圧が作用する集塵室８と、この集塵室８に臨む集塵袋（集塵フィルタ）９と、集塵袋９に付着した塵埃を除去する除塵手段１０と、除塵手段１０を駆動制御する制御手段２０とを備えた電気掃除機１であって、制御手段２０は、電動送風機７の駆動時間ｔがあらかじめ設定された設定時間Ｔよりも短い場合には、除塵手段１０を駆動させない。【選択図】  図３
2006325820.tif 000002
【特許請求の範囲】
【請求項１】
掃除機本体内に配設された電動送風機と、該電動送風機による吸込負圧が作用する集塵室と、該集塵室に臨む集塵フィルタと、該集塵フィルタに付着した塵埃を除去する除塵手段と、該除塵手段を駆動制御する制御手段とを備えた電気掃除機であって、
前記制御手段は、前記電動送風機の駆動時間があらかじめ設定された時間よりも短い場合には、前記除塵手段を駆動させないことを特徴とする電気掃除機。
【請求項２】
前記制御手段は、前記電動送風機の駆動時間に応じて、前記除塵手段の駆動時間を可変することを特徴とする請求項１に記載の電気掃除機。
【発明の詳細な説明】
【技術分野】
【０００１】
本発明は、集塵室に臨む集塵フィルタに付着した塵埃を除去する除塵手段を、適宜駆動させる電気掃除機に関するものである。
【背景技術】
【０００２】
従来から、集塵室内に装着された集塵袋に付着した塵埃を除去するために、モータによって振動駆動する除塵手段を備えた電気掃除機が知られている（例えば、特許文献１参照）。
【０００３】
この除塵手段は、振動駆動した際に集塵袋に断続的に当接し、この集塵袋を振動させて付着した塵埃を除去している。
【特許文献１】特開平５−９１９６２
【発明の開示】
【発明が解決しようとする課題】
【０００４】
ところで、上述の電気掃除機では、掃除時間に関わらず、除塵手段が一定時間振動駆動して集塵袋を振動させていた。
【０００５】
つまり、掃除時間が短時間で集塵袋に塵埃がほとんど付着していない場合と、掃除時間が長時間で集塵袋に塵埃が比較的大量に付着した場合とで除塵手段の振動駆動時間が同じであった。
【０００６】
そのため、塵埃がほとんど付着していないときには除塵手段が無駄に振動駆動し、塵埃が大量に付着したときには十分に除去しきれないという問題が生じていた。
【０００７】
また、塵埃の付着量に関わらず除塵手段を振動駆動させることで、電力が無駄に使用されると共に、除塵手段を振動駆動させるモータの寿命が短くなるという問題も生じていた。
【０００８】
そこで、この発明は、掃除時間に応じて集塵フィルタの適切な除塵を行なうことができる電気掃除機を提供することを課題としている。
【課題を解決するための手段】
【０００９】
上記課題を解決するために、掃除機本体内に配設された電動送風機と、該電動送風機による吸込負圧が作用する集塵室と、該集塵室に臨む集塵フィルタと、該集塵フィルタに付着した塵埃を除去する除塵手段と、該除塵手段を駆動制御する制御手段とを備えた電気掃除機であって、前記制御手段は、前記電動送風機の駆動時間があらかじめ設定された時間よりも短い場合には、前記除塵手段を駆動させないことを特徴としている。
【発明の効果】
【００１０】
本発明の電気掃除機によれば、電動送風機の駆動時間が短く、集塵フィルタにほとんど塵埃が付着していない場合には、除塵手段を駆動することがない。これにより、掃除時間に応じた集塵フィルタの適切な除塵を行なうことができる。
【００１１】
また、適切な除塵を行なうことで無駄な電力消費を抑制し、省電力化を図ることが可能となる。
【００１２】
さらに、除塵手段がモータによって振動駆動する場合には、このモータが必要に応じて適切に駆動するので、モータの無駄な駆動を抑制でき、このモータを長期間使用することが可能となる。
【発明を実施するための最良の形態】
【００１３】
次に、図面に基づいて、この発明を実施するための最良の形態の電気掃除機を説明する。
【００１４】
図１に示す電気掃除機１は、掃除機本体２と、この掃除機本体２の前部に形成された接続口２ａに一端が着脱可能に接続された集塵ホース３と、集塵ホース３の他端に設けられた手元操作管４と、手元操作管４の先端に着脱可能に接続された延長管５と、延長管５の先端に着脱可能に接続された吸込口体６とを備えている。
【００１５】
また、この電気掃除機１は、掃除機本体２内に配設された電動送風機７と、この電動送風機７による吸込負圧が作用する集塵室８と、この集塵室８に臨む集塵フィルタである集塵袋９と、集塵袋９に付着した塵埃を除去する除塵手段１０と、除塵手段１０を駆動制御する制御手段２０とを備えている。
【００１６】
集塵室８は、集塵ホース３、手元操作管４、延長管５を順に介して吸込口体６に連通しており、電動送風機７による吸込負圧が作用すると、この吸込負圧によって吸込口体６から被清掃面上の塵埃が吸い込まれるようになっている。
【００１７】
集塵袋９は、集塵室８内に着脱可能に装着され、接続口２ａを覆うように取付けられている。これにより、吸込口体６から集塵室８内に吸い込まれた塵埃を捕集するようになっている。
【００１８】
除塵手段１０は、集塵袋９に断続的に当接して振動させる振動部材１１と、この振動部材１１を振動させる除塵用モータ１２とを有している。除塵用モータ１２は、電源Ｄに接続されており（図２参照）、この電源Ｄから供給される電力によって駆動するようになっている。
【００１９】
制御手段２０は、図２に示すように、駆動時間測定部２１と、駆動時間判定部２２と、モータ駆動部２３とを有している。
【００２０】
駆動時間測定部２１は、後述する駆動検知部７ａからの検知信号に応じて、電動送風機７が駆動した時間を測定するものである。
【００２１】
なお、電動送風機７は、交流電源（商用電源）Ｄ´に接続されており（図２参照）、この交流電源Ｄ´から供給される電力によって駆動するようになっている。また、交流電源Ｄ´と電動送風機７との間には、電動送風機７の駆動を検知する駆動検知部７ａが介在されている（図２参照）。そして、この駆動検知部７ａから出力された検知信号が駆動時間測定部２１に入力されるようになっている。
【００２２】
駆動時間判定部２２は、駆動時間測定部２１によって測定された駆動時間と、あらかじめ設定された判定時間とを比較し、その比較結果に応じてモータ駆動部２３に制御信号を出力するものである。
【００２３】
モータ駆動部２３は、駆動時間判定部２２から出力された制御信号に応じて、除塵用モータ１２を所定時間駆動させる駆動信号を出力するものである。
【００２４】
次に、この発明の電気掃除機１の作用について説明する。
【００２５】
図３は、電気掃除機１の集塵フィルタである集塵袋９の除塵処理を示したフローチャートである。
【００２６】
この除塵処理では、まず、駆動検知部７ａによって、交流電源Ｄ´と電動送風機７との間に流れる電流を検知すると共に（ステップ１）、検知された電流に基づいて電動送風機７が駆動しているか否かを判断する（ステップ２）。
【００２７】
そして、電動送風機７が駆動していない場合（ステップ２においてＮＯの場合）、ステップ１に戻る。
【００２８】
一方、電動送風機７が駆動している場合（ステップ２においてＹＥＳの場合）、駆動検知部７ａは電動送風機７が駆動していることを示す検知信号を出力する。この検知信号は、制御手段２０の駆動時間測定部２１に入力され、駆動時間測定部２１は電動送風機７の駆動時間ｔの測定を開始する（ステップ３）。
【００２９】
次に、駆動検知部７ａは、再び交流電源Ｄ´と電動送風機７との間に流れる電流を検知すると共に（ステップ４）、検知された電流に基づいて電動送風機７が駆動しているか否かを判断する（ステップ５）。
【００３０】
そして、電動送風機７が駆動している場合（ステップ５においてＮＯの場合）、ステップ３に戻る。
【００３１】
一方、電動送風機７が駆動していない場合（ステップ５においてＹＥＳの場合）、駆動時間測定部２１は、駆動時間ｔの測定を終了すると共に、測定した駆動時間信号を駆動時間判定部２２に出力する。
【００３２】
駆動時間信号が入力された駆動時間判定部２２は、あらかじめ設定された判定時間Ｔ（例えば１０秒）と、駆動時間測定部２１によって測定された電動送風機７の実際の駆動時間ｔとを比較し、駆動時間ｔが判定時間Ｔよりも短いか否かを判断する（ステップ６）。
【００３３】
そして、駆動時間ｔが判定時間Ｔよりも短い場合（ステップ６においてＹＥＳの場合）、駆動時間判定部２２は、集塵袋９に塵埃がほとんど付着しなかったとして、除塵用モータ１２を駆動させない制御信号をモータ駆動部２３に出力する。
【００３４】
この除塵用モータ１２を駆動させない制御信号が入力されたモータ駆動部２３は、除塵用モータ１２に駆動信号を出力せず、除塵用モータ１２は駆動しない。つまり、除塵手段１０がＯＦＦされた状態となる（ステップ７）。
【００３５】
一方、駆動時間ｔが判定時間Ｔよりも長い場合（ステップ６においてＮＯの場合）、駆動時間判定部２２は、集塵袋９に塵埃が付着したとして、除塵用モータ１２を駆動させる制御信号をモータ駆動部２３に出力する。
【００３６】
この除塵用モータ１２を駆動させる制御信号が入力されたモータ駆動部２３は、除塵用モータ１２に所定時間（例えば１０秒）駆動させる駆動信号を出力する。これにより、除塵用モータ１２に電源Ｄからの電力が供給されて、この除塵用モータ１２は所定時間の間駆動し、振動部材１１が振動駆動する。つまり、除塵手段１０がＯＮされた状態となる（ステップ８）。
【００３７】
そして、振動駆動した振動部材１１が断続的に集塵袋９に当接し、この集塵袋９を振動させて集塵袋９に付着した塵埃を除去する。
【００３８】
以上説明したように、この発明の電気掃除機１は、掃除機本体２内に配設された電動送風機７と、この電動送風機７による吸込負圧が作用する集塵室８と、この集塵室８に臨む集塵袋（集塵フィルタ）９と、集塵袋９に付着した塵埃を除去する除塵手段１０と、除塵手段１０を駆動制御する制御手段２０とを備えており、制御手段２０は、電動送風機７の駆動時間ｔがあらかじめ設定された設定時間Ｔよりも短い場合には、除塵手段１０をＯＦＦする（駆動させない）ようになっている。
【００３９】
これにより、電動送風機７の駆動時間ｔが短く、集塵袋９にほとんど塵埃が付着していない場合には、除塵手段１０は駆動することがない。
【００４０】
そのため、電動送風機７の駆動時間ｔである掃除時間に応じて、適切な除塵を行なうことが可能となる。
【００４１】
また、適切な除塵を行なうことによって、除塵手段１０を駆動させる電力を抑制することができ、無駄な電力消費を抑制して省電力化を図ることができる。
【００４２】
特に、吸込口体６が被清掃面に対向していない状態で間違って電動送風機７を駆動させてしまい、すぐに駆動を停止させた場合では、集塵袋９に塵埃が付着することがない。このような際に、除塵手段１０が無駄に駆動することを防止できると共に、電力消費を確実に抑制することが可能となる。
【００４３】
さらに、ここでは、集塵袋９に断続的に当接する振動部材１１が、除塵用モータ１２によって振動駆動するようになっているので、この除塵用モータ１２が必要なときにだけ駆動することとなる。そのため、除塵用モータ１２の無駄な駆動を抑制でき、この除塵用モータ１２を長期間使用することが可能となる。
【００４４】
以上、この発明にかかる実施の形態を図面により詳述してきたが、具体的な構成は上述の実施の形態に限らない。この発明の要旨を逸脱しない範囲の設計の変更等はこの発明に含まれる。
【００４５】
例えば、図４に示した除塵処理では、まず、上述の実施の形態と同様に、駆動検知部７ａによって、交流電源Ｄ´と電動送風機７との間に流れる電流を検知すると共に（ステップ１０）、検知された電流に基づいて電動送風機７が駆動しているか否かを判断する（ステップ１１）。
【００４６】
そして、電動送風機７が駆動していない場合（ステップ１１においてＮＯの場合）、ステップ１０に戻る。
【００４７】
一方、電動送風機７が駆動している場合（ステップ１１においてＹＥＳの場合）、駆動検知部７ａは電動送風機７が駆動していることを示す検知信号を出力する。この検知信号は、制御手段２０の駆動時間測定部２１に入力され、駆動時間測定部２１は電動送風機７の駆動時間ｔの測定を開始する（ステップ１２）。
【００４８】
次に、駆動検知部７ａは、再び交流電源Ｄ´と電動送風機７との間に流れる電流を検知すると共に（ステップ１３）、検知された電流に基づいて電動送風機７が駆動しているか否かを判断する（ステップ１４）。
【００４９】
そして、電動送風機７が駆動している場合（ステップ１４においてＮＯの場合）、ステップ１２に戻る。
【００５０】
一方、電動送風機７が駆動していない場合（ステップ１４においてＹＥＳの場合）、駆動時間測定部２１は、駆動時間ｔの測定を終了すると共に、測定した駆動時間信号を駆動時間判定部２２に出力する。
【００５１】
駆動時間信号が入力された駆動時間判定部２２は、あらかじめ設定された第一判定時間Ａ（例えば１０秒）と、駆動時間測定部２１によって測定された電動送風機７の実際の駆動時間ｔとを比較し、駆動時間ｔが第一判定時間Ａよりも短いか否かを判断する（ステップ１５）。
【００５２】
そして、駆動時間ｔが第一判定時間Ａよりも短い場合（ステップ１５においてＹＥＳの場合）、駆動時間判定部２２は、集塵袋９に塵埃がほとんど付着しなかったとして、除塵用モータ１２を駆動させない制御信号をモータ駆動部２３に出力する。
【００５３】
この除塵用モータ１２を駆動させない制御信号が入力されたモータ駆動部２３は、除塵用モータ１２に駆動信号を出力せず、除塵用モータ１２は駆動しない。つまり、除塵手段１０がＯＦＦされた状態となる（ステップ１６）。
【００５４】
一方、駆動時間ｔが第一判定時間Ａよりも長い場合（ステップ１５においてＮＯの場合）、駆動時間判定部２２は、あらかじめ設定された第二判定時間Ｂ（例えば６０秒）と、駆動時間測定部２１によって測定された電動送風機７の実際の駆動時間ｔとを比較し、駆動時間ｔが第二判定時間Ｂよりも短いか否かを判断する（ステップ１７）。なお、第二判定時間Ｂは第一判定時間Ａよりも長いものとする。
【００５５】
そして、駆動時間ｔが第二判定時間Ｂよりも短い場合（ステップ１７においてＹＥＳ場合）、駆動時間判定部２２は、集塵袋９に付着した塵埃が僅かであるとして、除塵用モータ１２をあらかじめ設定された第一所定時間であるＸ秒（例えば３秒）間駆動させる制御信号をモータ駆動部２３に出力する。
【００５６】
この除塵用モータ１２を駆動させる制御信号が入力されたモータ駆動部２３は、除塵用モータ１２にＸ秒間駆動させる駆動信号を出力する。これにより、除塵用モータ１２に電源Ｄからの電力が供給されて、この除塵用モータ１２はＸ秒間駆動し、振動部材１１が振動駆動する。つまり、除塵手段１０があらかじめ設定された第一所定時間であるＸ秒間ＯＮされた状態となる（ステップ１８）。
【００５７】
そして、振動駆動した振動部材１１がＸ秒間断続的に集塵袋９に当接し、この集塵袋９を振動させて集塵袋９に付着した塵埃を除去する。
【００５８】
一方、駆動時間ｔが第二判定時間Ｂよりも長い場合（ステップ１７においてＮＯの場合）、駆動時間判定部２２は、あらかじめ設定された第三判定時間Ｃ（例えば５分）と、駆動時間測定部２１によって測定された電動送風機７の実際の駆動時間ｔとを比較し、駆動時間ｔが第三判定時間Ｃよりも短いか否かを判断する（ステップ１９）。なお、第三判定時間Ｃは第二判定時間Ｂよりも長いものとする。
【００５９】
そして、駆動時間ｔが第三判定時間Ｃよりも短い場合（ステップ１９においてＹＥＳ場合）、駆動時間判定部２２は、集塵袋９に付着した塵埃が普通量であるとして、除塵用モータ１２をあらかじめ設定された第二所定時間であるＹ秒（例えば１０秒）間駆動させる制御信号をモータ駆動部２３に出力する。
【００６０】
この除塵用モータ１２を駆動させる制御信号が入力されたモータ駆動部２３は、除塵用モータ１２にＹ秒間駆動させる駆動信号を出力する。これにより、除塵用モータ１２に電源Ｄからの電力が供給されて、この除塵用モータ１２はＹ秒間駆動し、振動部材１１が振動駆動する。つまり、除塵手段１０があらかじめ設定された第二所定時間であるＹ秒間ＯＮされた状態となる（ステップ２０）。
【００６１】
そして、振動駆動した振動部材１１がＹ秒間断続的に集塵袋９に当接し、この集塵袋９を振動させて集塵袋９に付着した塵埃を除去する。
【００６２】
一方、駆動時間ｔが第三判定時間Ｃよりも長い場合（ステップ１９においてＮＯの場合）、駆動時間判定部２２は、集塵袋９に付着した塵埃が多量であるとして、除塵用モータ１２をあらかじめ設定された第三所定時間であるＺ秒（例えば２０秒）間駆動させる制御信号をモータ駆動部２３に出力する。
【００６３】
この除塵用モータ１２を駆動させる制御信号が入力されたモータ駆動部２３は、除塵用モータ１２にＺ秒間駆動させる駆動信号を出力する。これにより、除塵用モータ１２に電源Ｄからの電力が供給されて、この除塵用モータ１２はＺ秒間駆動し、振動部材１１が振動駆動する。つまり、除塵手段１０があらかじめ設定された第三所定時間であるＺ秒間ＯＮされた状態となる（ステップ２１）。
【００６４】
そして、振動駆動した振動部材１１がＺ秒間断続的に集塵袋９に当接し、この集塵袋９を振動させて集塵袋９に付着した塵埃を除去する。
【００６５】
このように、電動送風機７の駆動時間ｔの長さに応じて、除塵手段１０の駆動時間をＸ秒、Ｙ秒、Ｚ秒と段階的に変更するように可変にしてもよい。
【００６６】
これにより、集塵袋９に付着した塵埃の付着量に応じた除塵手段１０の駆動時間となり、適切に駆動することができる。また、必要以上に駆動しないため、無駄な電力消費を効率よく抑制することが可能となる。
【００６７】
また、上述の実施の形態では、集塵フィルタとして集塵室８内に着脱可能に装着される集塵袋９としたが、これに限らず、例えば集塵袋９と電動送風機７との間に配置される２次フィルタであってもよい。
【００６８】
さらに、上述の実施の形態の電気掃除機は、電動送風機７が商用電源である交流電源Ｄ´から電力供給されるようになっているが、バッテリー電源によって駆動するいわゆるコードレス式の電気掃除機であってもよい。
【図面の簡単な説明】
【００６９】
【図１】この発明にかかる電気掃除機の全体を示す斜視図である。
【図２】この発明にかかる電気掃除機内の電気回路を模式的に示すブロック図である。
【図３】電気掃除機の集塵袋の除塵処理を示したフローチャートである。
【図４】電気掃除機の集塵袋の除塵処理の他の例を示したフローチャートである。
【符号の説明】
【００７０】
１            電気掃除機
２            掃除機本体
７            電動送風機
８            集塵室
９            集塵袋（集塵フィルタ）
１０          除塵手段
２０          制御手段
【図１】
2006325820.tif 000003
【図２】
2006325820.tif 000004
【図３】
2006325820.tif 000005
【図４】
2006325820.tif 000006